【手続補正書】
【提出日】令和2年2月25日(2020.2.25)
【手続補正１】
【補正対象書類名】特許請求の範囲
【補正対象項目名】全文
【補正方法】変更
【補正の内容】
【特許請求の範囲】
【請求項１】
測定光を被検査物上の所定の範囲で第１の方向に往復走査する第１の走査手段と、
前記第１の方向と異なる第２の方向に前記測定光を往復走査する第２の走査手段と、
前記第１の走査手段および前記第２の走査手段を同時に駆動することにより前記所定の範囲を前記第１の方向に対して所定角度以上の角度を有する直線又は曲線で構成された第１の走査軌跡で前記測定光により２次元的かつ網羅的に走査する第１の制御信号を与えることにより前記第１の走査手段および前記第２の走査手段を制御し、前記第１の走査軌跡とは異なる第２の走査軌跡で前記測定光により走査する第２の制御信号を与えることにより前記第１の走査手段および前記第２の走査手段を制御する走査制御手段と、
前記第１の走査手段および前記第２の走査手段を用いて走査された前記測定光を照射した前記被検査物からの戻り光と参照光との干渉光を受光する受光手段と、
前記受光手段の出力に基づき前記被検査物の深さ方向の情報を得る深さ情報取得手段と、
該深さ情報取得手段の出力と前記第１の制御信号とを用いて前記所定の範囲における前記被検査物の断層像を生成し、前記深さ情報取得手段の出力と前記第２の制御信号とを用いて前記所定の範囲内の任意の線に沿った断層像を生成する画像生成手段と、
前記第１の走査軌跡による前記深さ方向の情報の取得の前に前記任意の線に沿った断層像を繰り返して表示手段に表示させる表示制御手段と、
を備えることを特徴とする撮像装置。
【請求項２】
前記走査制御手段は、前記任意の線に沿った前記第２の走査軌跡で前記測定光を連続的に繰り返し走査する前記第２の制御信号を与えることにより前記第１の走査手段および前記第２の走査手段を制御し、
前記表示制御手段は、前記測定光の連続的な走査により得られた前記深さ方向の情報を用いて前記画像生成手段によって繰り返して生成された前記任意の線に沿った断層像を、前記表示手段に連続的に表示させることを特徴とする請求項１に記載の撮像装置。
【請求項３】
前記走査制御手段は、前記第１の走査手段および前記第２の走査手段の少なくとも一方の走査を停止させることで、前記任意の線を前記第１の方向および第２の方向の少なくとも一方と平行な直線として前記被検査物上で前記測定光を繰り返し走査することを特徴とする請求項２に記載の撮像装置。
【請求項４】
前記第１の走査手段および前記第２の走査手段の少なくとも何れか一方は共振スキャナであることを特徴とする請求項１乃至３の何れか１項に記載の撮像装置。
【請求項５】
前記走査制御手段は、前記第１の走査軌跡より走査軌跡密度が低く前記第１の走査軌跡に類似する前記第２の走査軌跡で前記測定光を走査する前記第２の制御信号を与えることにより前記第１の走査手段および前記第２の走査手段を制御し、
前記画像生成手段は、前記第２の走査軌跡での前記測定光の走査より得られた前記深さ方向の情報を用いて前記任意の線上の断層像を生成することを特徴とする請求項１に記載の撮像装置。
【請求項６】
前記走査制御手段は、平行な複数の直線状の前記第２の走査軌跡で前記測定光を走査する前記第２の制御信号を与えることにより前記第１の走査手段および前記第２の走査手段を制御し、
前記走査制御手段に制御されて、前記測定光を走査する第３の走査手段を更に有し、
前記第１の走査手段および前記第２の走査手段は共振スキャナを有し、
前記複数の直線状の走査軌跡に沿った前記測定光の前記被検査物での走査は前記第３の走査手段により実行されることを特徴とする請求項１に記載の撮像装置。
【請求項７】
前記測定光の前記被検査物上での集光状態、前記受光手段による前記干渉光の受光状態、および前記測定光の光路と前記参照光の光路との光路長差調整の少なくとも一つを調整する調整手段と、
前記調整手段による調整が可能である測定準備状態から前記第１の走査軌跡による前記深さ方向の情報の取得を行う測定状態へ切り替える撮像切り替え手段と、を備えることを特徴とする請求項１乃至６の何れか１項に記載の撮像装置。
【請求項８】
前記被検査物における前記所定の範囲を含む２次元正面画像を繰り返し生成する２次元画像生成手段を更に有し、
前記表示手段は前記２次元正面画像に前記所定の範囲を示すマークを重畳し、前記重畳された２次元正面画像と前記任意の線に沿った断層像とを並べて表示することを特徴とする請求項１乃至７の何れか１項に記載の撮像装置。
【請求項９】
前記断層像を生成する前記深さ方向の情報から前記断層像の画質を表す指標を算出する画質指標算出手段を更に有し、
前記表示手段は前記指標を前記任意の線に沿った断層像と共に表示することを特徴とする請求項１乃至８の何れか１項に記載の撮像装置。
【請求項１０】
前記表示制御手段は、縦横何れかの軸に前記測定光の走査位置である空間を用いた空間座標画像および前記測定光の走査時刻である時間軸を用いた時間軸画像の少なくとも何れかを用いて、前記第１の走査軌跡により得られた前記深さ方向の情報を用いて前記画像生成手段が生成した前記被検査物の２次元正面像を、前記表示手段に表示させることを特徴とする請求項１乃至９の何れか１項に記載の撮像装置。
【請求項１１】
前記被検査物が被検眼であり、
前記被検眼の瞬きの検出手段を更に有し、
前記瞬きが検出されると、前記表示手段は前記時間軸画像を表示することを特徴とする請求項１０に記載の撮像装置。
【請求項１２】
前記第１の制御信号による前記測定光の走査は、前記第１の走査手段により第１の周期で前記第１の方向に前記測定光を往復走査し、前記第２の走査手段により前記第１の周期の整数倍でない第２の周期で前記第２の方向に前記測定光を往復走査することにより行われることを特徴とする請求項１乃至１１の何れか１項に記載の撮像装置。
【請求項１３】
光源からの光より分割されて被検査物に照射された測定光の前記被検査物からの戻り光と前記光より分割されて前記測定光に対応する参照光との干渉光より得られた断層情報を用いて３次元断層画像を生成する画像生成手段と、
前記被検査物上で前記測定光を第１の方向に往復走査する第１の走査手段と、
前記被検査物上で前記測定光を前記第１の方向とは異なる第２の方向に往復走査する第２の走査手段と、
前記第１の走査手段による前記測定光の往復走査と前記第２の走査手段による前記測定光の往復走査とを同時に行わせて、前記被検査物上の所定の範囲内で連続的に形状および位置を変化させる環状の走査軌跡を前記測定光で描画させる走査制御手段と、を備え、
前記画像生成手段は前記所定の範囲内で定められる任意の線に沿った断層像を連続して生成することを特徴とする撮像装置。
【請求項１４】
前記環状の走査軌跡を前記測定光で描画させる前に、前記画像生成手段により連続して生成される断層像を続けて表示手段に表示させる表示制御手段を更に備えることを特徴とする請求項１３に記載の撮像装置。
【請求項１５】
前記連続して生成される断層像を用いて前記断層像を取得する際の取得条件を調整する調整手段を更に有し、
前記走査制御手段は、前記調整された取得条件を用いて前記環状の走査軌跡を前記測定光で連続的に描画させることを特徴とする請求項１３又は１４に記載の撮像装置。
【請求項１６】
前記調整手段による前記調整の終了を検知する終了検知手段を更に有し、
前記走査制御手段は、前記検知された調整の終了に応じて、前記環状の走査軌跡の前記測定光による前記連続的な描画を開始させることを特徴とする請求項１５に記載の撮像装置。
【請求項１７】
前記走査制御手段は、前記環状の走査軌跡を前記測定光で連続的に描画させる第１のモードと、前記第１のモードの前に行われて、前記任意の線に沿って前記測定光を連続的に繰り返し走査する第２のモードと、を実行し、
前記画像生成手段は、前記第２のモードにより繰り返して得られる前記断層情報を用いて前記断層像を連続して生成することを特徴とする請求項１３乃至１６の何れか一項に記載の撮像装置。
【請求項１８】
測定光を被検査物上の所定の範囲で第１の方向に往復走査する第１の走査手段と、
前記第１の方向と異なる第２の方向に前記測定光を往復走査する第２の走査手段と、
前記第１の走査手段および前記第２の走査手段を同時に駆動することにより前記所定の範囲を前記第１の方向に対して所定角度以上の角度を有する直線又は曲線で構成された第１の走査軌跡で前記測定光により２次元的かつ網羅的に走査する第１の制御信号を与えることにより前記第１の走査手段および前記第２の走査手段を制御し、前記第１の走査軌跡とは異なる第２の走査軌跡で前記測定光により走査する第２の制御信号を与えることにより前記第１の走査手段および前記第２の走査手段を制御する走査制御手段と、
前記第１の走査手段および前記第２の走査手段を用いて走査された前記測定光を照射した前記被検査物からの戻り光と参照光との干渉光を受光する受光手段と、
前記受光手段の出力に基づき前記被検査物の深さ方向の情報を得る深さ情報取得手段と、
該深さ情報取得手段の出力と前記第１の制御信号とを用いて前記所定の範囲における前記被検査物の断層像を生成し、前記深さ情報取得手段の出力と前記第２の制御信号とを用いて前記所定の範囲内の任意の線に沿った断層像を生成する画像生成手段と、
少なくとも前記画像生成手段の出力を表示手段に表示させる表示制御手段と、を備える撮像装置の制御方法であって、
前記画像生成手段によって、前記深さ情報取得手段の出力を用いて前記所定の範囲内の任意の線に沿った断層像を生成し、
前記表示制御手段が、前記第１の走査軌跡による前記深さ方向の情報の取得の前に前記任意の線に沿った断層像を繰り返し前記表示手段に表示させることを特徴とする撮像装置の制御方法。
【請求項１９】
光源からの光より分割されて被検査物に照射された測定光の前記被検査物からの戻り光と前記光より分割されて前記測定光に対応する参照光との干渉光より得られた断層情報を用いて３次元断層画像を生成する画像生成手段と、
前記被検査物上で前記測定光を第１の方向に往復走査する第１の走査手段と、
前記被検査物上で前記測定光を前記第１の方向とは異なる第２の方向に往復走査する第２の走査手段と、
前記第１の走査手段による前記測定光の往復走査と前記第２の走査手段による前記測定光の往復走査とを同時に行わせて、前記被検査物上の所定の範囲内で連続的に形状および位置を変化させる環状の走査軌跡を前記測定光で連続的に描画させる走査制御手段と、を備る撮像装置の制御方法であって、
前記画像生成手段によって、環状の走査軌跡を前記測定光で連続的に描画させる前に、前記所定の範囲内で定められる任意の線に沿った断層像を連続して生成することを特徴とする撮像装置の制御方法。
【請求項２０】
請求項１８又は１９に記載の撮像装置の制御方法の各工程をコンピュータに実行させることを特徴とするプログラム。
【手続補正２】
【補正対象書類名】明細書
【補正対象項目名】００１０
【補正方法】変更
【補正の内容】
【００１０】
上記課題を解決するために、本発明の一態様に係る撮像装置は、
測定光を被検査物上の所定の範囲で第１の方向に往復走査する第１の走査手段と、前記第１の方向と異なる第２の方向に前記測定光を往復走査する第２の走査手段と、
前記第１の走査手段および前記第２の走査手段を同時に駆動することにより前記所定の範囲を前記第１の方向に対して所定角度以上の角度を有する直線又は曲線で構成された第１の走査軌跡で前記測定光により２次元的かつ網羅的に走査する第１の制御信号を与えることにより前記第１の走査手段および前記第２の走査手段を制御し、前記第１の走査軌跡とは異なる第２の走査軌跡で前記測定光により走査する第２の制御信号を与えることにより前記第１の走査手段および前記第２の走査手段を制御する走査制御手段と、
前記第１の走査手段および前記第２の走査手段を用いて走査された前記測定光を照射した前記被検査物からの戻り光と参照光との干渉光を受光する受光手段と、
前記受光手段の出力に基づき前記被検査物の深さ方向の情報を得る深さ情報取得手段と、
該深さ情報取得手段の出力と前記第１の制御信号とを用いて前記所定の範囲における前記被検査物の断層像を生成し、前記深さ情報取得手段の出力と前記第２の制御信号とを用いて前記所定の範囲内の任意の線に沿った断層像を生成する画像生成手段と、
前記第１の走査軌跡による前記深さ方向の情報の取得の前に前記任意の線に沿った断層像を繰り返し表示手段に表示させる表示制御手段と、を備えることを特徴とする。